(57)【要約】【課題】音響圧縮データを記録した記録媒体の再生に際し、音響信号の音質調整に要する操作が面倒である。【解決手段】記録媒体から音響圧縮データを読み出し、この音響圧縮データを伸長することで音響信号を再生出力する再生機構１１と、再生した音響信号の音質を調整するイコライザ部１２とを有する音響再生装置１Ａであって、再生記録媒体の圧縮種別を検出する圧縮種別検出部２１と、記録媒体のビットレートを検出するビットレート検出部２２と、圧縮種別のビットレート毎に音質調整値を記憶したメモリ部２３と、これら検出した圧縮種別及びビットレートに対応した音質調整値をメモリ部から読み出し、この音質調整値に基づいてイコライザ部を制御する制御部２４とを有するようにした。【選択図】　図１
2004012667.tif 000002
【特許請求の範囲】
【請求項１】
音響圧縮データを記録した記録媒体から音響圧縮データを読み出し、この音響圧縮データを伸長することで音響信号を再生出力する再生手段と、この再生手段にて再生した音響信号の音質を調整する音質調整手段とを有する音響再生装置であって、
前記記録媒体に記録した音響圧縮データの圧縮種別を検出する圧縮種別検出手段と、
前記記録媒体に記録した音響圧縮データのビットレートを検出するビットレート検出手段と、
前記圧縮種別検出手段にて検出した圧縮種別及び、前記ビットレート検出手段にて検出したビットレートに基づいて、前記再生手段にて再生した音響信号の音質を調整するように、前記音質調整手段を制御する制御手段とを有することを特徴とする音響再生装置。
【請求項２】
前記圧縮種別のビットレート毎に、前記音響信号の音質を調整する音質調整値を記憶した記憶手段と、
前記制御手段は、
前記圧縮種別検出手段にて検出した圧縮種別及び前記ビットレート検出手段にて検出したビットレートに基づいて、これら圧縮種別及びビットレートに対応した音質調整値を前記記憶手段から読み出し、この音質調整値に基づいて前記音質調整手段を制御することを特徴とする請求項１記載の音響再生装置。
【発明の詳細な説明】
【０００１】
【発明の属する技術分野】
本発明は、例えばＭＰ３（ＭＰＥＧ１　Ａｕｄｉｏ　ＬａｙｅｒＩＩＩ）方式やＷＭＡ（Ｗｉｎｄｏｗｓ（Ｒ）　Ｍｅｄｉａ　Ａｕｄｉｏ　）方式の音響圧縮データを記録した記録媒体を再生する機能を備えた音響再生装置に関する。
【０００２】
【従来の技術】
図４は一般的な音響再生装置内部の概略構成を示すブロック図である。
【０００３】
図４に示す音響再生装置１は、例えばＭＰ３方式やＷＭＡ方式で圧縮した音響圧縮データを記録した記録媒体から音響圧縮データを読み出し、この読み出した音響圧縮データを伸長して音響信号を再生出力する再生機構１１と、この再生機構１１で再生した音響信号の音質を調整するイコライザ部１２と、このイコライザ部１２で調整した音響信号を増幅するアンプ部１３と、このアンプ部１３にて増幅した音響信号を音響出力するスピーカ部１４と、様々な情報を表示する表示部１５と、様々な指令を入力する操作部１６と、再生機構１１を駆動制御する機構制御部１７と、表示部１５を駆動制御する表示ドライバ部１８と、この音響再生装置１全体を制御するマイコン１９とを有している。
【０００４】
尚、記録媒体としては、例えばＭＰ３方式やＷＭＡ方式で音響圧縮データを記録することが可能な、例えばＣＤ−Ｒ、ＤＶＤ−ＲＯＭ、ＲＡＭや半導体メモリカード等の記録媒体があげられる。
【０００５】
このように一般的な音響再生装置１によれば、再生機構１１を通じて、記録媒体から音響圧縮データを読み出し、この読み出した音響圧縮データを伸長することで音響信号を再生し、この音響信号を、スピーカ部１４を通じて音響出力するようにしたので、例えばＭＰ３方式やＷＭＡ方式で記録した記録媒体からでも音響圧縮データを再生することができる。
【０００６】
しかしながら、ＭＰ３方式やＷＭＡ方式のように記録媒体に音響信号を音響圧縮データとして圧縮記録する方法は、一般的に、その圧縮率を高くしてビットレートを下げると、その音響信号の再生帯域が狭くなることから、受聴者側では、その音響出力に音の薄さや、高域での不足感を抱かせてしまう虞がある。
【０００７】
そこで、この音響再生装置１によれば、操作部１６からの所定操作に応じて、音響信号の音質をイコライザ部１２で調整することで、音響信号の音質を受聴者好みに変更することができる。
【０００８】
【発明が解決しようとする課題】
しかしながら、上記音響再生装置１によれば、操作部１６からの所定操作に応じて音響信号の音質をイコライザ部１２で調整するようにしたが、例えばＭＰ３方式やＷＭＡ方式等の圧縮種別やビットレートが異なると、その都度、音響信号の音質を調整する必要があることから、その音質調整に要する操作は非常に面倒となる。
【０００９】
本発明は上記点に鑑みてなされたものであり、その目的とするところは、音響圧縮データを記録した記録媒体の再生に際し、その圧縮種別やビットレートに応じて自動的に音響信号の音質を調整することができる音響再生装置を提供することにある。
【００１０】
【課題を解決するための手段】
上記目的を達成するために本発明の音響再生装置は、音響圧縮データを記録した記録媒体から音響圧縮データを読み出し、この音響圧縮データを伸長することで音響信号を再生出力する再生手段と、この再生手段にて再生した音響信号の音質を調整する音質調整手段とを有する音響再生装置であって、前記記録媒体に記録した音響圧縮データの圧縮種別を検出する圧縮種別検出手段と、前記記録媒体に記録した音響圧縮データのビットレートを検出するビットレート検出手段と、前記圧縮種別検出手段にて検出した圧縮種別及び、前記ビットレート検出手段にて検出したビットレートに基づいて、前記再生手段にて再生した音響信号の音質を調整するように、前記音質調整手段を制御する制御手段とを有するようにした。
【００１１】
従って、本発明の音響再生装置によれば、音響圧縮データを記録した記録媒体再生時に記録媒体に記録した音響圧縮データの圧縮種別及びビットレートを検出し、これら圧縮種別及びビットレートに基づいて再生手段にて再生した音響信号の音質を調整するようにしたので、ユーザによる調整操作が必要なくなることから、その圧縮種別やビットレートに応じて自動的に音響信号の音質を調整することができる。
【００１２】
また、本発明の音響再生装置は、前記圧縮種別のビットレート毎に、前記音響信号の音質を調整する音質調整値を記憶した記憶手段と、前記制御手段は、前記圧縮種別検出手段にて検出した圧縮種別及び前記ビットレート検出手段にて検出したビットレートに基づいて、これら圧縮種別及びビットレートに対応した音質調整値を前記記憶手段から読み出し、この音質調整値に基づいて前記音質調整手段を制御するようにした。
【００１３】
従って、本発明の音響再生装置によれば、圧縮種別のビットレート毎に、音響信号の音質を調整する音質調整値を予め記憶しておき、音響圧縮データを記録した記録媒体再生時に圧縮種別及びビットレートを検出し、これら圧縮種別やビットレートに対応した音質調整値を記憶手段から読み出し、この音質調整値に基づいて音質調整手段を制御するようにしたので、音響信号の音質調整に関わる調整作業が速くなる。
【００１４】
【発明の実施の形態】
以下、図面に基づいて本発明における実施の形態を示す音響再生装置について説明する。尚、図４に示す音響再生装置１と同一の構成については同一符号を付すことで、その重複する構成及び動作の説明については省略する。図１は本実施の形態を示す音響再生装置１Ａの要部であるマイコン２０内部の概略構成を示すブロック図である。
【００１５】
図１に示すマイコン２０は、再生する記録媒体の音響圧縮データに関わる圧縮種別を機構制御部１８から検出する圧縮種別検出部２１と、再生する記録媒体の音響圧縮データに関わるビットレートを機構制御部１８から検出するビットレート検出部２２と、圧縮種別のビットレート毎にイコライザ部１２の音質調整値を記憶するメモリ部２３と、圧縮種別検出部２１及びビットレート検出部２２にて検出した圧縮種別及びビットレートに対応した音質調整値をメモリ部２３から読み出し、この音質調整値に基づいてイコライザ部１２を調整制御する制御部２４とを有している。尚、ビットレート検出部２２は、機構制御部１８を通じて音響圧縮データのヘッダ部分を読み取ることでビットレートを検出することができる。
【００１６】
図２はメモリ部２３に記憶された音質調整値に関わるトーンカーブの一例を端的に示す説明図である。
【００１７】
メモリ部２３は、圧縮種別のビットレート毎に音質調整値を記憶するようにしたが、例えばＭＰ３方式の場合には、ビットレートＸ≦４８ｋｂｐｓの場合は図２（ａ）に示すトーンカーブＡの音質調整値、４８ｋｂｐｓ＜Ｘ≦６４ｋｂｐｓの場合は図２（ｂ）に示すトーンカーブＢの音質調整値、６４ｋｂｐｓ＜Ｘ≦１２８ｋｂｐｓの場合は図２（ｃ）に示すトーンカーブＣの音質調整値、１２８ｋｂｐｓ＜Ｘの場合は図２（ｄ）に示すトーンカーブＤの音質調整値を記憶している。同様にＷＭＡ方式においてもトーンカーブＥ〜Ｈの音質調整値等が記憶されているものとする。
【００１８】
尚、トーンカーブは、図２に示すように圧縮種別やビットレート毎に異なっており、例えばビットレートが高くなるに連れて高域のゲインを小さくし、ビットレートが所定レベルまで高くなると、低域のゲインの補正を止めるような設定としている。
【００１９】
例えばＭＰ３方式でビットレートが４８ｋｂｐｓ以下の場合、聴感上不足する高域のゲインを大きく上げ、さらに音の厚みを出すために低域のゲインも僅かに持ち上げるような図２（ａ）に示すようなトーンカーブを設定することになる。
【００２０】
尚、請求項記載の再生手段は再生機構１１、音声調整手段はイコライザ部１２、圧縮種別検出手段は圧縮種別検出部２１、ビットレート検出手段はビットレート検出部２２、記憶手段はメモリ部２３、制御手段は制御部２４に相当するものである。
【００２１】
次に本実施の形態を示す音響再生装置１Ａの動作について説明する。図３は本実施の形態を示す音響再生装置１Ａの音質調整値設定処理に関わるマイコン２０の処理動作を示すフローチャートである。
【００２２】
図３に示す音質調整値設定処理とは、音響圧縮データを記録した記録媒体再生時に記録媒体の音響圧縮データに関わる圧縮種別及びビットレートを検出し、この圧縮種別及びビットレートに基づいて、イコライザ部１２の音質調整値を設定する処理である。
【００２３】
図３においてマイコン２０の制御部２４は、圧縮種別検出部２１を通じて再生機構１１にて再生する記録媒体の音響圧縮データに関わる圧縮種別を検出し（ステップＳ１１）、その検出結果に基づいて圧縮種別がＭＰ３方式であるか否かを判定する（ステップＳ１２）。
【００２４】
さらに、制御部２４は、圧縮種別がＭＰ３方式と判断されると、ビットレート検出部２２を通じて記録媒体のビットレートを検出し（ステップＳ１３）、このビットレートＸが４８ｋｂｐｓ以下であるか否かを判定する（ステップＳ１４）。
【００２５】
制御部２４は、ステップＳ１４にてビットレートＸが４８ｋｂｐｓ以下であると判断されると、音響信号の音質を調整すべく、図２（ａ）に示すトーンカーブＡの音質調整値をイコライザ部１２に設定し（ステップＳ１５）、この処理動作を終了する。
【００２６】
また、制御部２４は、ステップＳ１４にてビットレートＸが４８ｋｂｐｓ以下でないと判断されると、ビットレートＸが６４ｋｂｐｓ以下であるか否かを判定する（ステップＳ１６）。
【００２７】
制御部２４は、ステップＳ１６にてビットレートＸが６４ｋｂｐｓ以下であると判断されると、音響信号の音質を調整すべく、図２（ｂ）に示すトーンカーブＢの音質調整値をイコライザ部１２に設定し（ステップＳ１７）、この処理動作を終了する。
【００２８】
また、制御部２４は、ステップＳ１６にてビットレートＸが６４ｋｂｐｓ以下でないと判断されると、ビットレートＸが１２８ｋｂｐｓ以下であるか否かを判定する（ステップＳ１８）。
【００２９】
制御部２４は、ステップＳ１８にてビットレートＸが１２８ｋｂｐｓ以下であると判断されると、音響信号の音質を調整すべく、図２（ｃ）に示すトーンカーブＣの音質調整値をイコライザ部１２に設定し（ステップＳ１９）、この処理動作を終了する。
【００３０】
また、制御部２４は、ステップＳ１８にてビットレートＸが１２８ｋｂｐｓ以下でないと判断されると、音響信号の音質を調整すべく、図２（ｄ）に示すトーンカーブＤの音質調整値をイコライザ部１２に設定し（ステップＳ２０）、この処理動作を終了する。
【００３１】
また、制御部２４は、ステップＳ１２にて圧縮種別がＭＰ３方式でないと判断されると、圧縮種別がＷＭＡ方式であるか否かを判定する（ステップＳ２１）。制御部２４は、圧縮種別がＷＭＡ方式であると判定されると、ビットレート検出部２２を通じてビットレートを検出し（ステップＳ２２）、このビットレートＸが４８ｋｂｐｓ以下であるか否かを判定する（ステップＳ２３）。
【００３２】
制御部２４は、ステップＳ２３にてビットレートＸが４８ｋｂｐｓ以下であると判断されると、音響信号の音質を調整すべく、トーンカーブＥの音質調整値をイコライザ部１２に設定し（ステップＳ２４）、この処理動作を終了する。
【００３３】
また、制御部２４は、ステップＳ２４にてビットレートＸが４８ｋｂｐｓ以下でないと判断されると、ビットレートＸが６４ｋｂｐｓ以下であるか否かを判定する（ステップＳ２５）。
【００３４】
制御部２４は、ステップＳ２５にてビットレートＸが６４ｋｂｐｓ以下であると判断されると、音響信号の音質を調整すべく、トーンカーブＦの音質調整値をイコライザ部１２に設定し（ステップＳ２６）、この処理動作を終了する。
【００３５】
また、制御部２４は、ステップＳ２５にてビットレートＸが６４ｋｂｐｓ以下でないと判断されると、ビットレートＸが１２８ｋｂｐｓ以下であるか否かを判定する（ステップＳ２７）。
【００３６】
制御部２４は、ステップＳ２７にてビットレートＸが１２８ｋｂｐｓ以下であると判断されると、音響信号の音質を調整すべく、トーンカーブＧの音質調整値をイコライザ部１２に設定し（ステップＳ２８）、この処理動作を終了する。
【００３７】
また、制御部２４は、ステップＳ２７にてビットレートＸが１２８ｋｂｐｓ以下でないと判断されると、音響信号の音質を調整すべく、トーンカーブＨの音質調整値をイコライザ部１２に設定し（ステップＳ２９）、この処理動作を終了する。
【００３８】
また、制御部２４は、ステップＳ２１にて圧縮種別がＷＭＡ方式でないと判断されると、例えばＣＤ−ＤＡと判断してフラットなトーンカーブの音質調整値をイコライザ部１２に設定し（ステップＳ３０）、この処理動作を終了する。
【００３９】
本実施の形態によれば、圧縮種別のビットレート毎に、音響信号の音質を調整する音質調整値を予め記憶しておき、記録媒体再生時に、この記録媒体の音響圧縮データに関わる圧縮種別及びビットレートを検出し、これら圧縮種別やビットレートに対応した音質調整値をメモリ部２３から読み出し、この音質調整値に基づいてイコライザ部１２を制御するようにしたので、ユーザによる調整操作が必要なくなることから、その圧縮種別やビットレートに応じて自動的に音響信号の音質を調整することができ、さらに、その音質調整に関わる調整作業が速くなる。
【００４０】
尚、上記実施の形態においては、圧縮種別の４段階のビットレート毎に音響信号の音質を調整する音質調整値をメモリ部２３に予め記憶しておいたが、そのビットレートは４段階に限定されるものではなく、例えば５段階以上とすれば、より一層、最適な音質調整を提供することができる。
【００４１】
また、上記実施の形態においては、圧縮種別のビットレート毎に音質調整値をメモリ部２３に予め記憶するようにしたが、このメモリ部２３に記憶中の音質調整値を、ユーザの操作に応じて、ユーザ好みの音質調整値に設定変更可能とするようにしても良い。
【００４２】
【発明の効果】
上記のように構成された本発明の音響再生装置によれば、記録媒体再生時に記録媒体に記録した音響圧縮データの圧縮種別及びビットレートを検出し、これら圧縮種別及びビットレートに基づいて再生手段にて再生した音響信号の音質を調整するようにしたので、ユーザによる調整操作が必要なくなることから、その圧縮種別やビットレートに応じて自動的に音響信号の音質を調整することができる。
【００４３】
本発明の音響再生装置によれば、圧縮種別のビットレート毎に、音響信号の音質を調整する音質調整値を予め記憶しておき、記録媒体再生時に圧縮種別及びビットレートを検出し、これら圧縮種別やビットレートに対応した音質調整値を記憶手段から読み出し、この音質調整値に基づいて音質調整手段を制御するようにしたので、音響信号の音質調整に関わる調整作業が速くなる。
【図面の簡単な説明】
【図１】本発明の実施の形態を示す音響再生装置の要部であるマイコン内部の概略構成を示すブロック図である。
【図２】本実施の形態のメモリ部に記憶した音質調整値に関わるトーンカーブの一例を示す説明図である。
【図３】本実施の形態に関わる音質調整値設定処理に関わるマイコンの処理動作を示すフローチャートである。
【図４】一般的な音響再生装置内部の概略構成を示すブロック図である。
【符号の説明】
１Ａ　音響再生装置
１１　再生機構（再生手段）
１２　イコライザ部（音質調整手段）
２１　圧縮種別検出部（圧縮種別検出手段）
２２　ビットレート検出部（ビットレート検出手段）
２３　メモリ部（記憶手段）
２４　制御部（制御手段）
【図１】
2004012667.tif 000003
【図２】
2004012667.tif 000004
【図３】
2004012667.tif 000005
【図４】
2004012667.tif 000006